(57)【要約】【課題】開閉する内障子と外障子の切換えが容易で、遠隔操作が可能な引違い窓の開閉装置の提供を目的とする。【解決手段】内障子と外障子とからなる引違い窓の開閉装置であって、内・外障子を開閉するベルト式の駆動装置を備え、前記ベルトは内・外障子と平行に配設され、それぞれ係止状態と解放状態とを相互に切換え可能な内障子用カムと外障子用カムとが取り付けられており、前記内障子は前記内障子用カムが係止する内障子用ブロックを有し、前記外障子は前記外障子用カムが係止する外障子用ブロックを有し、前記内障子用カムが前記内障子用ブロックに係止した状態では前記ベルトにより当該内障子が開閉し、前記外障子用カムが前記外障子用ブロックに係止した状態では前記ベルトにより当該外障子が開閉するものであることを特徴とする。【選択図】  図１
2017179820.tif 000002
【特許請求の範囲】
【請求項１】
内障子と外障子とからなる引違い窓の開閉装置であって、
内・外障子を開閉するベルト式の駆動装置を備え、
前記ベルトは内・外障子と平行に配設され、それぞれ係止状態と解放状態とを相互に切換え可能な内障子用カムと外障子用カムとが取り付けられており、前記内障子は前記内障子用カムが係止する内障子用ブロックを有し、
前記外障子は前記外障子用カムが係止する外障子用ブロックを有し、
前記内障子用カムが前記内障子用ブロックに係止した状態では前記ベルトにより当該内障子が開閉し、
前記外障子用カムが前記外障子用ブロックに係止した状態では前記ベルトにより当該外障子が開閉するものであることを特徴とする引違い窓開閉装置。
【請求項２】
前記内障子用カム及び外障子用カムはターンオーバーバネにより、それぞれ内障子用ブロック及び外障子用ブロックに対して係止状態と、解放状態に切り換え保持可能になっていることを特徴とする請求項１記載の引違い窓開閉装置。
【請求項３】
前記ベルトに取り付けられた内障子用カムがベルトの動きにより当接し、解放状態になる解放ストッパーと係止状態になる復帰ストッパーを有し、
前記ベルトに取り付けられた外障子用カムがベルトの動きにより当接し、当該外障子用カムのターンを切り換える外障子用ストッパーを有することを特徴とする請求項２記載の引違い窓開閉装置。
【請求項４】
前記ベルトは無端ベルトであり、前記駆動装置は遠隔制御可能であることを特徴とする請求項１〜３のいずれかに記載の引違い窓開閉装置。
【発明の詳細な説明】
【技術分野】
【０００１】
本発明は、内障子と外障子からなる引違い窓の開閉装置に関する。
【背景技術】
【０００２】
病院・介護施設等における歩行が困難な病人や入居者にとっては、窓を開閉する操作が大変である。
また、建物の窓の取り付け高さや位置によっては、人による窓の開閉操作が困難な場合がある。
そこで、遠隔操作できる電動式の引違い窓が提案されている（特許文献１，２）。
しかし、これらに開示する窓の開閉装置は片側の障子だけであったり、外障子と内障子とで開閉装置を手動で切り換えなければならないものであった。
【先行技術文献】
【特許文献】
【０００３】
【特許文献１】特開２００４−２５０９４６号公報
【特許文献２】特開平１１−３０３５０７号公報
【発明の概要】
【発明が解決しようとする課題】
【０００４】
本発明は、開閉する内障子と外障子の切換えが容易で、遠隔操作が可能な引違い窓の開閉装置の提供を目的とする。
【課題を解決するための手段】
【０００５】
本発明は、内障子と外障子とからなる引違い窓の開閉装置であって、内・外障子を開閉するベルト式の駆動装置を備え、前記ベルトは内・外障子と平行に配設され、それぞれ係止状態と解放状態とを相互に切換え可能な内障子用カムと外障子用カムとが取り付けられており、前記内障子は前記内障子用カムが係止する内障子用ブロックを有し、前記外障子は前記外障子用カムが係止する外障子用ブロックを有し、前記内障子用カムが前記内障子用ブロックに係止した状態では前記ベルトにより当該内障子が開閉し、前記外障子用カムが前記外障子用ブロックに係止した状態では前記ベルトにより当該外障子が開閉するものであることを特徴とする。
このように、ベルトに取り付けた内障子用カムと外障子用カムのうち、内障子用カムを内障子用ブロックに係止（係合）させると、内障子がベルトの前進及び後退により開閉し、外障子用カムを外障子用ブロックに係止させると外障子がベルトの前進及び後退により開閉操作することができる。
【０００６】
本発明において、カムのブロックに対する係止状態と解放状態の切り換え手段は、各種手段を採用できる。
例えば、簡単な構造として、前記内障子用カム及び外障子用カムはターンオーバーバネにより、それぞれ内障子用ブロック及び外障子用ブロックに対して係止状態と、解放状態に切り換え保持可能になっている例が挙げられる。
また、その切り換え保持手段としては、前記ベルトに取り付けられた内障子用カムがベルトの動きにより当接し、解放状態になる解放ストッパーと係止状態になる復帰ストッパーを有し、前記ベルトに取り付けられた外障子用カムがベルトの動きにより当接し、当該外障子用カムのターンを切り換える外障子用ストッパーを有するようにすることができる。
【０００７】
本発明において、ベルトが内障子及び外障子と平行に配設されていれば、内障子用と外障子用の２本のベルトでもよいが、簡単な構造で一元的に駆動装置を遠隔操作可能である点では、ベルトは無端ベルトが好ましい。
【発明の効果】
【０００８】
本発明に係る引違い窓の開閉装置は、ベルトに取り付けたカムと内障子及び外障子に設けたブロックとの係止切り換えにより、簡単に内障子の開閉と外障子の開閉の切り換えが容易であり、遠隔操作できる。
また、カムとブロックの組み合せであるので、切り換えのための手動操作や特別の駆動手段が不要で、構造が簡単である。
【図面の簡単な説明】
【０００９】
【図１】本発明に係る開閉装置の構造を模式的に示す。
【図２】外障子の開閉及び内障子への切り換えを示す。
【発明を実施するための形態】
【００１０】
本発明に係る引違い窓の開閉装置の構造例を以下、図に基づいて説明するが本発明はこれに限定されない。
【００１１】
開閉装置は図１に示すように引違い窓の内側をスライドする内障子１０と外障子２０に対して、無端型のベルト３３を平行に配設してある。
ベルト式の駆動装置３０は、駆動輪３１と従動輪３２との間にベルト３３を張設してあり、内側のベルト部分３３ａが内障子１０に沿って配設され、外側のベルト部分３３ｂが外障子２０に沿って配設されている。
駆動装置３０はリモコン等により遠隔制御されている。
ベルト３３には、内障子を開閉するための内障子用カム３４と外障子を開閉するための外障子用カム３５を有する。
これに対して内障子１０は、内障子用カム３４が係止する内障子用ブロック１１を有し、
外障子２０は外障子用カム３５が係止する外障子用ブロック２１を固定してある。
内障子用カム３４及び外障子用カム３５は、回動軸３４ａ，３５ａにて回動可能にベルト３３に取り付けてあり、後述するストッパーに当接し、カムを回動させる作用部３４ｂ，３５ｂと、内・外障子用ブロック１１，１２の凹部１１ａ，１２ａに係止する瓜状の係止部３４ｃ，３５ｃを有する。
また、内・外障子用カム３４，３５はターンピン３４ｄ，３５ｄと回動軸３４ａ，３５ａとの間にターンオーバーバネを張設してあり、カム３４，３５が回動し、ブロック１１，２１に係止した状態と、その係止状態を解放する方向にカム３４，３５が回動した解放状態とそれぞれ切り換え維持できる。
【００１２】
内障子側には内障子用カム３４の作用部３４ｂが当接し、この内障子用カム３４が解放状態に切り換えるための解放ストッパー１２と内障子用カム３４を係止状態に切り換える復帰ストッパー１３とを有する。
外障子側には外障子用カム３５の作用部３５ｂが当接し、この外障子用カム３５を解放方向に回動させる解放爪部２２ｂと係止方向に回動させる復帰突部２２ａを有する外障子用ストッパー２２を設けてある。
【００１３】
次に障子の開閉操作について説明する。
図１（ａ）は内障子用カム３４の係止部３４ｃが内障子用ブロック１１の凹部１１ａに入り込み係止している状態であり、この状態がターンピン３４ｄと回動軸３４ａとの間に設けたターンオーバーバネにより維持されている。
外障子用カム３５の係止部３５ｃが外障子用ブロック１２の凹部１２ａから外れ、解放状態になっている。
外障子用カム３５も、ターンピン３５ｄと回動軸３５ａとの間に設けたターンオーバーバネで解放状態が維持されている。
この状態でベルト３３を矢印Ａの方向に回転移動させると、内障子が開く。
よって、図１（ａ）の状態でベルト３３を前進・後退操作することで内障子１０の開閉モードになる。
図１（ｂ）に示すように内障子用カム３４にて内障子１０が開く方向に引っ張られるが、外障子２０は外障子用カム３５が解放状態になっているので、外障子用カム３５のみで移動する。
【００１４】
図１（ｃ），（ｄ）に示すようにベルト３３を矢印Ｂの方向に回転させると、内障子用カムの作用部（作用ピン）３４ｂが解放ストッパー１２に当接し、解放方向に回転し、ターンオーバーバネにより内障子用カムの解放状態が維持される。
一方、外障子用カム３５は外障子用ストッパー２２に設けた復帰突部２２ａにて係止方向に回動させられる。
この時点では、外障子用カム２１の上面部２１ｂに当接した例になっているが、図２（ａ）に示すように矢印Ａの方向にベルト３３を回転させると、ターンオーバーバネにより外障子用カムの係止部３５ｃが外障子用ブロック２１の凹部２１ａに係止し、外障子２０が開く。
この状態では、外障子２０がベルト３３の前進・後退により開閉する外障子開閉モードになっている。
図２（ａ）の状態までベルト３３を回転すると、内障子用カム３４は復帰ストッパー１３の斜面部により係止状態の方向に回動させられる。
この状態で図（ｂ），（ｃ）に示すようにベルト３３を矢印Ｂの方向に回転させると、内障子用カム３４の係止部３４ｃが内障子用ブロック１１の斜面部１１ｂに沿って乗り上がり、ターンオーバーバネの復帰力にて係止部３４ｃが内障子用ブロック１１の凹部１１ａに係止する。
一方、外障子用カム３５は図２（ｄ）に示すように作用部３５ｂが外障子用ストッパー２２の解放爪部２２ｂに当接し、解放状態に向けて回動する。
これにより、図（ａ）の状態に戻る。
【００１５】
このような開閉装置を採用すると、１つの無端ベルトの回転方向及びその範囲を遠隔制御することで、内障子開閉モード、外障子開閉モードをそれぞれ選択したり、容易に内障子開閉モードと外障子開閉モードの切り換えが可能である。
【符号の説明】
【００１６】
１０      内障子
１１      内障子用ブロック
１１ａ    凹部
１１ｂ    斜面部
１２      解放ストッパー
１３      復帰ストッパー
２０      外障子
２１      外障子用ブロック
２１ａ    凹部
２１ｂ    上面部
２２      外障子用ストッパー
２２ａ    復帰突部
２２ｂ    解放爪部
３０      ベルト式の駆動装置
３３      ベルト
３４      内障子用カム
３４ａ    回動軸
３４ｂ    作用部
３４ｃ    係止部
３４ｄ    ターンピン
３５      外障子用カム
３５ｂ    作用部
３５ｃ    係止部
３５ｄ    ターンピン
【図１】
2017179820.tif 000003
【図２】
2017179820.tif 000004